(57)【要約】      （修正有）【課題】携帯時における菓子類への熱的影響を抑制して菓子類の品質を保持し、かつ、使用時において嵩張らず身近においておくことのできる菓子類携帯ポーチを提供することを課題とする。【解決手段】菓子類Ｃが収納される収納空間２ａと、この収納空間２ａを開閉する取り出し口２ｂが形成されたポーチ本体２を備え、このポーチ本体２の内壁に隔壁３を取り付けて前記収納空間２ａを区画することにより、前記取り出し口２ｂへ向けて開口されたポケットＰを形成し，このポケットＰに保冷剤４を収納してなることを特徴とする。【選択図】図３
0003202688.tif 000002
【実用新案登録請求の範囲】
【請求項１】
菓子類を収納して携帯する菓子類携帯ポーチであって、前記菓子類が収納される収納空間と、この収納空間を開閉する取り出し口が形成されたポーチ本体を備え、このポーチ本体の内壁に隔壁を取り付けて前記収納空間を区画することにより、前記取り出し口へ向けて開口されたポケットを形成し，このポケットに保冷剤を収納してなることを特徴とする菓子類携帯ポーチ。
【請求項２】
前記ポーチ本体および前記隔壁が断熱性材料によって形成されていることを特徴とする請求項１に記載の菓子類携帯ポーチ。
【請求項３】
前記ポーチ本体の内面および前記隔壁の表面に保冷シートが貼着されていることを特徴とする請求項１に記載の菓子類携帯ポーチ。
【考案の詳細な説明】
【技術分野】
【０００１】
本考案は、菓子類、特にキャンディーやチョコレート等といった、熱によって品質変化を起こしやすい菓子を携帯する際に好適に用いられる菓子類携帯ポーチに関するものである。
【背景技術】
【０００２】
菓子類特にキャンディーやチョコレート等といった、熱によって品質変化を起こしやすい菓子を携帯する場合、この菓子類の品質を保持するために、菓子類を熱から保護する必要がある。
【０００３】
このような菓子類の携帯を可能にした技術が、たとえば、特許文献１において提案されている。
【先行技術文献】
【特許文献】
【０００４】
【特許文献１】特開２００５−１１０８８５号公報
【考案の概要】
【考案が解決しようとする課題】
【０００５】
前述した従来の技術は、バッグ本体内にキャンディー等の菓子類を収納するポケットを設け、このポケットを、断熱材を用いて二重構造として隙間を形成するとともに、その隙間に保冷剤を挿入するようにしたものである。
【０００６】
この技術により、菓子類を熱から保護した状態で携帯することができるようになったが、なお、次のような改善すべき問題点が残されている。
【０００７】
すなわち、菓子類を食する場合、この菓子類を身近に置いておき、食を欲した時点で手を伸ばして菓子類を取るといった形態が殆どである。
【０００８】
このような菓子類の食の仕方であると、前述した技術では、前記バッグ本体を常に近くに置いておく必要があり、使用者の回りが煩雑になる。
【０００９】
あるいは、前述したバッグは、必要な物品を取り出した後に、身体から離れた位置においておくことが一般的であることから、前述した菓子類の食の形態に適さない。
【００１０】
本考案は、前述した従来の技術において残されている問題点を解決せんとしてなされたもので、携帯時における菓子類への熱的影響を抑制して菓子類の品質を保持し、かつ、使用時において嵩張らず身近においておくことのできる菓子類携帯ポーチを提供することを解決すべき課題とする。
【課題を解決するための手段】
【００１１】
本考案に係わる菓子類携帯ポーチは、前述した課題を解決するために、菓子類を収納して携帯する菓子類携帯ポーチであって、前記菓子類が収納される収納空間と、この収納空間を開閉する取り出し口が形成されたポーチ本体を備え、このポーチ本体の内壁に隔壁を取り付けて前記収納空間を区画することにより、前記取り出し口へ向けて開口されたポケットを形成し、このポケットに保冷剤を収納してなることを特徴としている。
【００１２】
このような本考案の菓子類携帯ポーチによれば、前記ポケット内の保冷剤によって前記菓子類携帯ポーチ内の温度上昇を抑制することにより、収納した菓子類を熱的に保護することができる。
これによって、前記菓子類の品質変化を抑えることができる。
【００１３】
そして、前記菓子類を携帯する際には、たとえば，この菓子類を前記菓子類携帯ポーチの収納空間に入れ、さらに、この菓子類携帯ポーチとともにバッグに入れることにより持ち運ぶことができる。
【００１４】
持ち運びを終えた際には、前記菓子類携帯ポーチを前記バッグから取り出して身近におくことができるとともに、前記菓子類の熱的変化を抑制する効果を維持することができる。
【００１５】
また、前記バッグは、前記菓子類携帯ポーチを取り出した後に、使用者から離れた別の位置におくことができ、したがって、前記菓子類携帯ポーチが小さいことも相俟って、使用者の回りを嵩張らすようなことはない。
【００１６】
そして、前記ポーチ本体および前記隔壁を断熱性材料によって形成することが好ましい。
【００１７】
このような構成とすることにより、前記ポーチ本体の前記収納空間と外部との熱交換を抑制することができ、この結果、前記収納空間内の温度変化を抑えて、収納されている前記菓子類に対する品質変化抑制効果を維持させることができる。
【００１８】
また、前記ポーチ本体の内面および前記隔壁の表面に保冷シートを貼着することによって、前記収納空間と外部との熱交換を抑制するようにしてもよい。
【００１９】
このような構成とすることにより、前記ポーチ本体の材質に係わりなく断熱機能を確保することができるので、前記ポーチ本体に使用可能な材質の自由度を高めることができる。
【考案の効果】
【００２０】
本考案の菓子類携帯ポーチによれば、携帯時における菓子類への熱的影響を抑制して菓子類の品質を保持し、かつ、使用時において嵩張らず身近においておくことができる。
【図面の簡単な説明】
【００２１】
【図１】本考案の一実施形態を示す斜視図である。
【図２】本考案の一実施形態を示すもので、取り出し口を開放した状態の平面図である。
【図３】本考案の一実施形態を示すもので、使用時における取り出し口を開放した状態の平面図である。
【考案を実施するための形態】
【００２２】
以下、本考案の一実施形態を図１ないし図３を参照して説明する。
これらの図において、符号１は本実施形態に係わる菓子類携帯ポーチを示し、この菓子類携帯ポーチ１は、菓子類Ｃが収納される収納空間２ａと、この収納空間２ａを開閉する取り出し口２ｂが形成されたポーチ本体２を備え、このポーチ本体２の内壁に隔壁３を取り付けて前記収納空間２ａを区画することにより、前記取り出し口２ｂへ向けて開口されたポケットＰを形成し、このポケットに保冷剤４を収納した構成となっている。
【００２３】
前記ポーチ本体２は、布を、上方が開口するように袋状に縫い合わせることによって形成されており、その開口が前記取り出し口２ｂとなされている。
【００２４】
前記取り出し口２ｂには線ファスナー５が装着されており、この線ファスナー５により、前記取り出し口２ｂが開閉可能となされている。
【００２５】
また、本実施形態においては、前記ポーチ本体２の内面に保冷シート６が貼着されており、前記取り出し口２ｂを閉塞した状態において、前記収納空間２ａと外部との熱交換を抑制するようにしている。
【００２６】
前記隔壁３は、本実施形態においては矩形状の布の表面を保冷シート７によって覆って形成されており、その上方（前記取り出し口２ｂ側）を除く３辺において、前記ポーチ本体２の内面に止着されることにより、このポーチ本体２の内面との間に前記ポケットＰを形成するようになっている。
【００２７】
このように構成された本実施形態の菓子類携帯ポーチ１は、図３に示すように、前記ポケットＰ内に保冷剤４を入れた後に、前記収納空間２ｂ内にキャンディー等菓子類Ｃを入れ、ついで、前記線ファスナー５によって前記取り出し口２ｂを閉じることにより、携帯状態とすることができる。
【００２８】
この菓子類携帯ポーチ１をバッグ等に入れて持ち運び、使用時において、前記菓子類携帯ポーチ１を前記バッグから取り出す。
そして、前記バッグを嵩張らない場所に置くとともに、取り出した前記菓子類携帯用ポーチ１を身近に置いて使用する。
【００２９】
このように菓子類Ｃの持ち運びに際して、前記菓子類携帯ポーチ１の収納空間２ａの温度が、前記ポケットＰに収納されている保冷剤４によって冷やされていることにより、収納されている前記菓子類Ｃの品質変化が抑制される。
【００３０】
ここで、前記隔壁３自体も断熱性が付与されていることから、前記ポケットＰ内に収納されている保冷剤４と前記収納空間２ａとの熱交換が、前記ポケットＰの開口部分に集約される。
【００３１】
これによって、前述した熱交換が緩やかに行なわれるとともに、前記保冷剤４の温度上昇も緩やかに行なわれるから、その保冷効果が長く持続する。
【００３２】
また、前記バッグは、前述したように、使用者から離れた別の位置におくことができ、また、身近において使用する際の前記菓子類携帯ポーチ１が小さいことも相俟って、使用者の回りを嵩張らすようなことはない。
【００３３】
なお、前記実施形態において示した各構成部材の諸形状や寸法等は一例であって、設計要求等に基づき種々変更可能である。
【００３４】
たとえば、前記実施形態においては、前記ポーチ本体２の内面や隔壁３に断熱機能を付与した例について示したが、季節や使用環境によっては、この断熱機能を付与しない構成とすることもできる。
【００３５】
また、前記ポーチ本体２や隔壁３自体を断熱性の材料によって形成することで、前述した断熱機能を付与することもできる。
【符号の説明】
【００３６】
１  菓子類携帯ポーチ
２  ポーチ本体
２ａ  収納空間
２ｂ  取り出し口
３  隔壁
４  保冷剤
５  線ファスナー
６  保冷シート
７  保冷シート
Ｃ  菓子類
Ｐ  ポケット
【図１】
0003202688.tif 000003
【図２】
0003202688.tif 000004
【図３】
0003202688.tif 000005